(57)【要約】【課題】液晶パネルの駆動方法を工夫することにより、ＰＡＬ信号に準じた液晶パネルにＮＴＳＣ信号を水平走査線数変換することなしに表示できるようにしたテレビジョン映像表示装置を提供することを目的とするものである。【解決手段】ＮＴＳＣ映像信号を入力し表示するテレビジョン映像表示装置において、ＰＡＬ映像信号の水平走査線数に準じた液晶パネルと、前記ＮＴＳＣ映像信号の水平走査線数を前記液晶パネルに均等に伸張する手段とを備え、前記ＰＡＬ映像信号の水平走査線数に準じた液晶パネルに前記ＮＴＳＣ映像信号を表示する。【選択図】図１
2006180427.tif 000002
【特許請求の範囲】
【請求項１】
ＮＴＳＣ映像信号を入力し表示するテレビジョン映像表示装置において、ＰＡＬ映像信号の水平走査線数に準じた液晶パネルと、前記ＮＴＳＣ映像信号の水平走査線数を前記液晶パネルに均等に伸張する手段とを備えていることを特徴とするテレビジョン映像表示装置。
【請求項２】
ＮＴＳＣ映像信号を入力し表示するテレビジョン映像表示装置において、ＰＡＬ映像信号の水平走査線数に準じた液晶パネルと、前記ＮＴＳＣ映像信号の水平走査線数を９／４倍に伸張する手段とを備えていることを特徴とするテレビジョン映像表示装置。
【請求項３】
ＮＴＳＣ映像信号を入力し表示するテレビジョン映像表示装置において、ＰＡＬ映像信号の水平走査線数に準じた液晶パネルと、前記ＰＡＬ映像信号の水平走査線数に準じた液晶パネルの水平２走査線への同時書込みと１水平走査線の未書込みの繰り返しにより前記ＮＴＳＣ映像信号の水平走査線数を９／４に伸張する手段とを備えていることを特徴とするテレビジョン映像表示装置。
【請求項４】
ＮＴＳＣ映像信号を入力し表示するテレビジョン映像表示装置において、ＰＡＬ映像信号の水平走査線数に準じた液晶パネルと、前記ＮＴＳＣ映像信号の１走査線に対し水平走査線の奇数走査線を制御するゲートドライバと水平走査線の偶数走査線を制御するゲートドライバとを備え、前記ＰＡＬ映像信号の水平走査線数に準じた液晶パネルの水平２走査線に同時に映像データの書込みを行い、前記ＰＡＬ映像信号の水平走査線数に準じた液晶パネルの８水平走査線への映像データの書込み後、前記ＰＡＬ映像信号の水平走査線数に準じた液晶パネルの１水平走査線を未書込みとし、前記８水平走査線書込み、前記１走査線の未書込みを繰り返し、前記未書込み走査線をフィールドごとに前記ＰＡＬ映像信号の水平走査線数に準じた液晶パネルの水平２走査線単位でずらすことを特徴とするテレビジョン映像表示装置。
【請求項５】
請求項１から４のいずれかに記載のテレビジョン映像表示装置において、前記ＰＡＬ映像信号の水平走査線数に準じた液晶パネルの水平走査線数は５４０本であることを特徴とするテレビジョン映像表示装置。
【請求項６】
請求項１から５のいずれかに記載のテレビジョン映像表示装置において、ＰＡＬ映像信号を入力する手段を備え、前記ＰＡＬ映像信号と前記ＮＴＳＣ映像信号を切替えて前記ＰＡＬ映像信号の水平走査線数に準じた液晶パネルに表示することを特徴とするテレビジョン映像表示装置。
【発明の詳細な説明】
【技術分野】
【０００１】
この発明は、テレビジョン映像表示装置に関するもので、液晶パネルなどのマトリックスディスプレイに液晶の縦解像度と異なる映像信号を表示する場合に有効である。
【背景技術】
【０００２】
従来はＰＣまたはＮＴＳＣ信号の水平ライン（または走査線）数準拠の液晶デバイスが主流であり、大型液晶ＴＶにおいてＰＡＬ信号の水平ライン数に準拠した液晶デバイスは無かった。そこで、ＰＡＬ信号に準拠したパネルとして、９６０ｘ５４０ドットの液晶パネルが提案される。ＰＣまたはＮＴＳＣ信号の水平ライン数に準拠した液晶パネルに、ＰＡＬ信号等のライン数の異なる信号を表示する際に工夫が必要であり、そのための技術が複数知られている。例えば、一つの方法としてＮＴＳＣの水平ライン数に準拠した４８０ラインの液晶パネルにＰＡＬ信号５７６ラインを表示する際、５７６ラインの一部を間欠的に間引いて表示することにより、簡易的にＰＡＬ信号を表示する方法が知られている。ところが逆に、ＰＡＬ信号の水平ライン数に準拠した液晶パネルにＮＴＳＣ信号を表示する技術について知られていなかった。
【０００３】
以下に、提案されるＰＡＬ信号に準拠した液晶パネルを使用し、通常知られている技術を使った場合のＰＡＬ信号及びＮＴＳＣ信号表示方法を説明する。映像信号はＮＴＳＣ信号（１フレーム４８０ライン、１フィールド２４０ライン）、ＰＡＬ信号（１フレーム５７６ライン、１フィールド２８８ライン）とする。
液晶パネルはＰＡＬ信号に準拠した液晶パネルで画素数９６０ｘ５４０とする。ＰＡＬ信号については画面非表示部（オーバースキャン）を６．２５％とし、５７６ライン中５４０ラインを液晶パネルに表示することとする。
【０００４】
図９にその構成例を示す。１は放送受信アンテナであり、２は放送を受信するチューナであり、放送を映像信号に復調する。３はアナログデジタル変換器（Ａ／Ｄコンバータ）で４８０ｉまたは５７６ｉのアナログ信号を入力としアナログ信号をデジタル信号に変換する。１０は画像処理ＩＣ、１１は画像処理ＩＣ用のフレームメモリである。
画像処理ＩＣ１０はＰＡＬ信号入力時、ライン数２８８本のフィールド画面をフレームメモリ１１に蓄積し、動き適応処理などを行いながら、５７６ラインの順次走査信号に変換する働きを備える。画像処理ＩＣ１０はＮＴＳＣ信号時、２４０本ずつのフィールド画面をフレームメモリ１１に蓄積し、動き適応処理などを行い、１フレーム４８０ラインの順次走査信号とし、さらに水平ライン数変換を行い５７６ラインの順次走査信号に変換する働きを備える。
【０００５】
液晶パネル９はＰＡＬ信号に水平ライン数に準拠した液晶パネルで横９６０画素、縦５４０画素であり、縦横にマトリクス電極を設けている。５は液晶パネル制御部であり液晶パネルの電圧輝度カーブを補正する目的のガンマ補正回路、液晶を交流駆動するための極性切り換え回路などを備える。６はソースドライバであり、７はゲートドライバであり、共に入力信号の同期に合わせ、液晶パネル９に対して必要な横９６０画素、縦５４０画素に合わせたタイミング信号を発生する。
【０００６】
ＰＡＬ信号を表示する際の信号の流れを説明する。アンテナ１、チューナ２により放送が受信，復調され、ＰＡＬ信号が生成される。ＡＤコンバータ３でデジタル化される。画像処理ＩＣ１０にて１フィールド水平ライン２８８本をフレームメモリ１１に蓄積し５７６ラインの順次走査信号に変換する。液晶パネル制御部５で液晶用交流駆動信号に変換され、水平ライン５７６本中３６本を非表示部（オーバースキャン）としてマスクし、映像表示するライン数を５４０本とする。
ソースドライバ６、ゲートドライバ７によって液晶パネル９が駆動され、映像信号５４０本が映像表示される。
【０００７】
次にＮＴＳＣ信号を表示する際の信号の流れを説明する。アンテナ１、チューナ２、ＡＤコンバータ３により、ＮＴＳＣ放送の受信、復調、信号のデジタル化が行われる。画像処理ＩＣ１０にて１フィールド水平ライン２４０本をフレームメモリに蓄積し４８０ラインの線順次走査信号に変換する。さらに同画像処理ＩＣ１０にて水平ライン数変換を行い、１フィールド４８０ラインの順次走査信号を１フィールド５７６ラインの順次走査信号に変換する。その後、ＰＡＬ信号表示時と同様に液晶パネル制御部５で液晶用交流駆動信号とされ、水平ライン５７６本中３６本がマスクされ５４０本が表示させる。ソースドライバ６、ゲートドライバ７によって液晶パネル９が駆動され、映像信号５４０本が映像表示される。
【０００８】
液晶ドライバ６，７と液晶パネル９の関係を図１０に示す。ソースドライバ６はＸ方向の制御を行う。入力信号ＲＧＢはＲＧＢに変換された映像信号である。入力信号ＣＬＫは水平画素単位でパネルを駆動するためのパネル駆動クロックである。ゲートドライバ７はＹ方向の制御を行い、水平ラインを順次アクティブにするシフトレジスタを具備し、ゲートをアクティブにするＯＥ信号と水平ラインを切り換えていくためのＹｃｌｋ信号が入る。
【０００９】
図１１にＮＴＳＣ信号表示時のドライバ信号のタイミングチャートを示す。ＰＡＬ信号表示時もドライバ信号のタイミングは同一である。ＲＧＢ信号はＹ方向１ラインごとに信号極性を＋、−と反転する。信号を書込む水平ラインはＹｃｌｋ信号が入るごとに順次切り替わる。ＯＥ信号は液晶パネルへのＲＧＢ値書込み開始と共にアクティブになり、１フィールド書込み完了までアクティブ状態を保持する。
【００１０】
図１２に各ラインとフィールドごとの極性を示す。縦方向がパネルのＹ方向ライン数、右方向がフィールドである。ラインごとに極性を＋、−と極性変更し、フィールドごとに極性反転する。映像信号は前記のように液晶パネル制御部５において５７６ライン中３６ラインがマスクされ５４０ラインの信号にされている。液晶パネルは５４０ラインであるので、液晶パネルに１ラインずつ順番に書き込むことで問題なく表示できる。
【発明の開示】
【発明が解決しようとする課題】
【００１１】
製品のコストダウンを図る際に、フレームメモリ、ＩＰ変換、解像度変換可能なＩＣを廃止できることは大きなメリットとなる。そこで、本発明は、液晶パネルの駆動方法を工夫することにより、ＰＡＬ信号に準じた液晶パネルにＮＴＳＣ信号を水平ライン数変換することなしに表示できるようにしたテレビジョン映像表示装置を提供することを目的とするものである。
また、従来使用していたフレームメモリ、高性能画像処理ＩＣを廃止し、回路を簡素化し消費電力を低減することにより、環境に優しい製品とすることを目標とするものである。
【課題を解決するための手段】
【００１２】
第１の発明は、ＮＴＳＣ映像信号を入力し表示するテレビジョン映像表示装置において
、ＰＡＬ映像信号の水平走査線数に準じた液晶パネルと、前記ＮＴＳＣ映像信号の水平ライン数を前記ＰＡＬ映像信号の水平走査線数に準じた液晶パネルに均等に伸張する手段とを備えていることを特徴とする。
【００１３】
第２の発明は、ＮＴＳＣ映像信号を入力し表示するテレビジョン映像表示装置において、ＰＡＬ映像信号の水平走査線数に準じた液晶パネルと、前記ＮＴＳＣ映像信号の水平ライン数を９／４に伸張する手段とを備えていることを特徴とする。
【００１４】
第３の発明は、ＮＴＳＣ映像信号を入力し表示するテレビジョン映像表示装置において、ＰＡＬ映像信号の水平走査線数に準じた液晶パネルと、前記ＰＡＬ映像信号の水平走査線数に準じた液晶パネルの水平２ラインへの同時書込みと１水平ラインの未書込みの繰り返しにより前記ＮＴＳＣ映像信号の水平ライン数を９／４に伸張する手段とを備えていることを特徴とする。
【００１５】
第４の発明は、ＮＴＳＣ映像信号を入力し表示するテレビジョン映像表示装置において、ＰＡＬ映像信号の水平走査線数に準じた液晶パネルと、前記ＮＴＳＣ映像信号の１ラインに対し水平ラインの奇数ラインを制御するゲートドライバと水平ラインの偶数ラインを制御するゲートドライバとを備え、前記ＰＡＬ映像信号の水平走査線数に準じた液晶パネルの水平２ラインに同時に映像データの書込みを行い、前記ＰＡＬ映像信号の水平走査線数に準じた液晶パネルの８水平ラインへの映像データの書込み後、前記ＰＡＬ映像信号の水平走査線数に準じた液晶パネルの１水平ラインを未書込みとし、前記８水平ライン書込み、前記１ラインの未書込みを繰り返し、前記未書込みラインをフィールドごとに前記ＰＡＬ映像信号の水平走査線数に準じた液晶パネルの水平２ライン単位でずらすことを特徴とする。
【００１６】
第５の発明は、第１から第４のいずれかの発明に記載のテレビジョン映像表示装置において、前記ＰＡＬ映像信号の水平走査線数に準じた液晶パネルの水平ライン数は５４０本であることを特徴とする。
【００１７】
第６の発明は、第１から第５のいずれかの発明に記載のテレビジョン映像表示装置において、ＰＡＬ映像信号を入力する手段を備え、前記ＰＡＬ映像信号と前記ＮＴＳＣ映像信号を切替えて前記ＰＡＬ映像信号の水平走査線数に準じた液晶パネルに表示することを特徴とする。
【発明の効果】
【００１８】
本発明は、高価なフレームメモリ、高価な高性能画像処理ＩＣを用いずにＮＴＳＣ信号をＰＡＬ映像信号の水平走査線数に準じた液晶パネルに均等に書き込むことが可能であり、この発明による部品削減によるコストダウン効果は大である。
また、従来使用していたフレームメモリ、高性能画像処理ＩＣが廃止され、回路が簡素化されるため消費電力が低減され、環境に優しいことになる。
【発明を実施するための最良の形態】
【００１９】
以下、この発明の実施の形態を図１を参照して説明する。以下すべての説明は前述と同じく、ＮＴＳＣ信号４８０ライン、ＰＡＬ信号５７６ライン、液晶パネル画素数９６０ｘ５４０の場合で説明する。ＰＡＬ信号についてはオーバースキャン６．２５％とし、５７６ライン中５４０ラインを表示することとする。なお、前述で説明した部分と同一部分の説明は省略する。
【００２０】
４は画像処理ＩＣであり、水平ライン変換は行わず、画質調整を行う。７，８はゲートドライバであり、パネル上の偶数ライン、奇数ラインを別個に制御する。信号の流れとしてはチューナ２からのアナログ映像信号がＡＤコンバータ３でデジタル化され、画像処理ＩＣ４で画質調整され、液晶パネル制御部５で液晶用交流駆動信号に変換され、ソースドライバ６、ゲートドライバ７，８によって液晶パネル９が駆動され、映像表示される。
【００２１】
液晶ドライバ６，７，８と液晶パネル９の関係を図２に示す。ソースドライバ６はＸ方向の制御を行い、ＲＧＢの映像信号と水平画素単位でパネルを駆動する。ソースドライバ６に入るＣＬＫ信号は水平画素単位に映像信号を制御するための液晶駆動クロックである。ゲートドライバ７が液晶パネルＹ方向奇数ラインに接続され、ゲートドライバ８が液晶パネルＹ方向偶数ラインに接続される。ゲートドライバ７，８は水平ラインを順次アクティブにするシフトレジスタを具備し、ゲートをアクティブにするＯＥ１，２信号と水平ラインを切り換えていくためのクロック信号としてＹｃｌｋ１，２信号が入る。
【００２２】
ＰＡＬ信号表示時の液晶パネルへの書込み方法を図３に従って説明する。左側の縦２列のドット列がＰＡＬ信号の走査線をあらわす。最も左側の縦１列がｍ（偶数）フィールド時の映像の水平ラインを表し、次の縦１列がｍ＋１（奇数）フィールド時の映像の水平ラインを表す。図の右側の縦１列が液晶パネル９の水平ラインを示す。ｍ（偶数）フィールド時、映像の水平１ライン目を液晶パネル９の水平１、２ラインに同時に書き込む。映像の水平２ライン目を液晶パネル９の水平３，４ラインに同時に書き込む。このように映像の各水平１ラインを液晶パネル９の２つの水平ラインに同時に書込みを行っていく。ｍ＋１（奇数）フィールドについても同様である。
【００２３】
このときのドライバ信号のタイミングチャートを図４に示す。ＲＧＢ信号は映像１ラインごとに＋極性、−極性を反転し、Ｙｃｌｋ信号が入るごとにラインを切り換えていく。
上段に、ｍフィールドでの動作を示す。映像の水平１ライン目開始時にＯＥ１、ＯＥ２ともアクティブにし、液晶パネルへのＲＧＢ信号を書込み可能状態とする。映像の水平１ライン目でＲＧＢ信号を＋極性信号とする。ＲＧＢ信号を書込む水平ラインを下段のラインに変更するクロックが１クロック、Ｙｃｌｋ１、Ｙｃｌｋ２各々に入る。各フィールドについて１回目のクロックをゲートドライバに入れることにより各々のゲートドライバの１ライン目が指定される。
【００２４】
ゲートドライバ７は液晶パネルの奇数ラインを制御し、ゲートドライバ８が液晶パネルの偶数ラインを制御するため、液晶パネルの水平１、２ライン目が指定されたことになる。ゲートドライバ７により液晶パネル９の水平１ライン目に映像の水平１ライン目が書き込まれ、ゲートドライバ８によって液晶パネル９の水平２ライン目に映像の水平１ライン目が書き込まれる。従って、液晶パネル９の水平１ライン目と２ライン目に同時に映像の水平１ライン目が書き込まれることになる。映像の水平２ライン目でＲＧＢ信号が−極性となる。ゲートドライバ７，８のＹｃｌｋ１，Ｙｃｌｋ２各々に１クロックが入り、液晶パネルの水平３，４ラインが指定され、映像の水平２ライン目が液晶パネル９の水平３，４ライン目に同時に書き込まれる。以下、同様に書き込まれ、映像の水平２７０ラインが液晶パネルの水平５３９、５４０ラインに書き込まれて１フィールドの書込みが完了する。ＯＥ１，２信号は１フィールド書込み完了までアクティブ状態を保持する。
【００２５】
次に下段に、ｍ＋１フィールドでの動作を示す。映像の水平１ライン目でＲＧＢ信号を−極性信号とする。映像の水平２ライン目でＲＧＢ信号を＋極性信号とする。他の信号タイミングはｍフィールド時と同様であり、映像の水平１ライン目から２７０ライン目が液晶パネルの１ライン目から５４０ライン目に書き込まれる。
【００２６】
図５にＰＡＬ信号時の液晶パネルに書き込まれるＲＧＢ信号の＋，−極性を示す。縦方向が液晶パネルの水平ライン、横方向がフィールドによる変化を示す。液晶パネル９の水平２ラインを同時に書き込むため、液晶パネルの水平１，２ラインに同じ極性の信号が書き込まれる。ｍフィールドの水平１，２ラインには＋極性が書き込まれ、水平３，４ラインが−極性が書き込まれる。以下同様に液晶パネルの水平５４０ラインまで２ラインずつ＋，−極性の信号が交互に書き込まれる。
【００２７】
ｍ＋１フィールドではｍフィールドと逆の極性が書き込まれていく。フィールドごとに極性を反転するのは液晶が交流での動作を前提としているためである。
【００２８】
ＮＴＳＣ信号表示時の液晶への書込み方法を説明する。ＮＴＳＣ信号は１フィールド２４０ライン、液晶パネルは水平５４０ラインであるため比率は４：９となる。従って、ＮＴＳＣ信号の水平４ラインに対して液晶パネルの水平９ラインを対応させるように書き込んでいかなければならない。
【００２９】
図６にｍフィールド時、ｍ＋１フィールド時の書込み手順を示す。左側がｍフィールド時、右側がｍ＋１フィールド時の書込み手順である。図では左側のｍフィールド時を偶数フィールド、右側のｍ＋１フィールドを奇数フィールドしているが、逆にｍフィールドが奇数、ｍ＋１フィールドが偶数フィールドであっても問題ない。
【００３０】
ｍフィールド時映像の水平１ライン目を液晶パネルの水平１，２ライン目に書き込む。ＰＡＬ信号時と同様である。映像の水平２，３，４ライン目についてもＰＡＬ信号時と同様に液晶パネルの３−４，５−６，７−８ラインに書き込む。ＮＴＳＣ信号と液晶パネルの水平ライン数の比率は４：９であるから、液晶パネルの水平９ライン目を飛ばさなければ比率が合わない。そのため、液晶パネルの水平９ライン目を未書込みとする。次の映像信号の水平５ライン目を液晶パネルの水平１０、１１ラインに書込みを行う。以下液晶パネルの水平８ライン分書込み、１ラインの未書込みを繰り返し、ＮＴＳＣ信号の水平ライン２４０ラインを液晶パネルの水平５４０ラインに書き込んでいく。
【００３１】
図６の右図にｍ＋１フィールド時の書込み手順を示す。ｍ＋１フィールド時映像の水平１ライン目を液晶パネルの水平１，２ライン目に書き込む。ＰＡＬ信号時と同様である。映像の水平２，３ライン目についてもＰＡＬ信号時と同様に液晶パネルの３−４，５−６ラインに書き込む。つぎの液晶パネルの水平７ライン目を未書込みとする。映像信号の水平４ライン目を液晶パネルの水平８，９ラインに書込みを行う。以下液晶パネルの水平８ライン分書込み、１ラインの未書込みを繰り返し、ＮＴＳＣ信号の水平ライン２４０ラインを液晶パネルの水平５４０ラインに書き込んでいく。
未書込み位置を順次ずらしていくのは、未書込み位置を分散することによって未書込みラインの視認性を下げるためと、同じラインに同一極性が１フレーム以上続かないようにするためである。
【００３２】
次にＮＴＳＣ信号表示時のソースドライバ６、ゲートドライバ７，８の制御信号のタイミングチャートを図７に示す。ＲＧＢ信号は映像の水平１ラインごとに＋極性、−極性を反転し、Ｙｃｌｋ１，２信号が入るごとにＲＧＢ信号を書き込む水平ラインを切り換えていく。
【００３３】
上段に、ｍフィールドでの動作を示す。映像１ライン目開始時にＯＥ１、ＯＥ２ともアクティブにし、パネルへの書込み状態とする。１ライン目でＲＧＢ信号を＋極性信号とし、Ｙｃｌｋ１、Ｙｃｌｋ２各々に１クロックが入り、ゲートドライバ７により液晶パネル９の水平１ライン目に映像の水平１ライン目が書き込まれ、ゲートドライバ８によって液晶パネル９の水平２ライン目に映像の水平１ライン目が書き込まれる。従って、液晶パネル９の水平１ライン目と２ライン目が同時に書き込まれる。
【００３４】
映像の水平２ライン目でＲＧＢ信号が−極性となり、Ｙｃｌｋ１，Ｙｃｌｋ２各々に１クロックが入り、映像の水平２ライン目が液晶パネル９の水平３，４ライン目に同時に書き込まれていく。映像４ライン目を液晶パネル水平７，８ラインに書き込んだ後、Ｙｃｌｋ１、Ｙｃｌｋ２とも１クロックが入り、次の液晶パネル書込みラインは９，１０となるはずであるが、ここでＹｃｌｋ１に新規に１クロックが挿入され、書込みを行う液晶パネルの水平ラインが９ラインから１１ライン目に変更される。従って、液晶パネルの水平９ライン目は書き込まれない。このＹｃｌｋ１に新規に１クロックが挿入の際液晶パネル９への書込みを防止するためにＯＥ１を１クロック分ノンアクティブとする。結果、映像の水平５ライン目が液晶パネルの１０、１１ラインに書き込まれる。以下液晶パネルの水平９ラインごとにＹｌｃｋ１またはＹｌｃｋ２に１パルスの液晶パネルの水平ライン送り用クロックが挿入され、映像の４水平ラインが液晶の９水平ラインに対応する形で液晶パネルに映像が書き込まれていく。
【００３５】
下段に、ｍ＋１フィールド時を示す。動作はｍフィールドとほぼ同様である。異なる点はＲＧＢ信号の＋，−極性がｍフィールド時と逆である点と、未書込みラインを作るためのＹｃｌｋ１への１クロック挿入が、映像５ライン目ではなく、４ライン目である点である。従って、動作としては液晶パネルの水平７ライン目を未書込みとすることになる。図示はしていないが、ｍ＋２フィールドでは液晶パネルの水平５ライン目を未書込みにするために、映像の３ライン目で、Ｙｃｌｋ１への１クロック挿入をおこなう。
【００３６】
図８にＮＴＳＣ表示時の各液晶ラインとフィールドごとの極性を示す。縦方向がパネルのＹ方向ライン数、右方向がフィールドである。液晶パネル９の２ラインを同時に書き込むため、液晶パネルの水平１，２ラインが＋極性、３，４ラインが−極性という様に液晶パネル９の水平２ラインごとに極性が反転する。また、個別のラインに注目した場合フィールドごとに極性反転していく。従って、液晶パネル９の水平１、２ライン目で見るとｍフィールド目では＋極性で、ｍ＋１フィールド目では−極性となり、以降順次＋、−を繰り返していく。ｍフィールドでは液晶パネルの水平９ライン目に未書込みラインをつくる。図のＸが未書込みラインである。ｍ＋１フィールドでは液晶パネルの水平７ライン目に未書込みラインを作る。１フィールド間の未書込みは、液晶パネル９のキャパシタの放電時間よりも十分短いので表示上問題ない。
【００３７】
以上説明したように、本発明により、水平ライン数２４０本のＮＴＳＣ信号を水平ライン数５４０本の液晶パネルに表示する場合に、両ライン数の比を見ると２４０：５４０、単純化すると４：９となる。液晶パネルの水平ラインへの２ライン書き込みと１ラインの未書込みによって、この比率を満足するには以下の式１に従って未書込みラインをつくれば良い。
【００３８】
８ｎ＋２ｂ−ｍ＋１  …式１
（ｂは固定値、２ｂ＜＝８、ｍはフィールドごとに変化する８未満の２の倍数、ｎは０以上の整数）
【００３９】
具体的に本実施例の場合の数字を入れると、ｎ＝０，１，３，４…、ｂ＝４、ｍ＝０，−２…となり、液晶パネルの未書込み水平ラインは、１フィールド目が、９，１５，２３，３１…、２フィールド目が、７，１３，２１，２９…となる。この比率で書込みを行うことで、ＰＡＬ信号準拠の液晶パネルにＮＴＳＣ信号を均等に表示することができる。
【００４０】
本発明の実施例では、２個のゲートドライバを用いて液晶パネルの水平２ラインに同時書込みを行った。本構成は回路構成及び配置が簡単である利点があるが、ゲートドライバ内の回路を変更することによって１つのゲートドライバで液晶パネルの水平２ラインに書き込むことも可能である。
また、本発明の実施例でＰＡＬ信号の表示方法とＮＴＳＣ信号の表示方法を説明した。切り換えは、入力信号の周波数判別等によりＰＡＬ、ＮＴＳＣを判別し、液晶パネルへの表示方法をＰＡＬ、ＮＴＳＣ信号に対応して切り換えることが可能である。
【図面の簡単な説明】
【００４１】
【図１】本発明の一実施の形態における全体構成例を示す図である。
【図２】本発明の液晶パネルとドライバの関係を示す図である。
【図３】本発明においてＰＡＬ信号表示時の基本動作を説明するための説明図である。
【図４】本発明においてＰＡＬ信号表示時の液晶パネルを駆動するタイミングを示す図である。
【図５】本発明のＰＡＬ信号極性パターンを示す説明図である。
【図６】本発明においてＮＴＳＣ信号ｍ、ｍ＋１フィールド表示時の基本動作を説明するための説明図である。
【図７】本発明においてＮＴＳＣ信号表示時の液晶パネルを駆動するタイミングを示す図である。
【図８】本発明のＮＴＳＣ信号極性パターンを示す説明図である。
【図９】従来例の全体構成を示す図である。
【図１０】従来例の液晶パネルとドライバの関係を示す図である。
【図１１】従来例においてＰＡＬ、ＮＴＳＣ信号表示時の液晶パネルを駆動するタイミングを示す図である。
【図１２】従来時の信号極性パターンを示す説明図である。
【符号の説明】
【００４２】
１…放送受信アンテナ、２…チューナ、３…アナログデジタル変換器（ＡＤコンバータ）、４，１０…画像処理ＩＣ、５…液晶パネル制御部、６…ソースドライバ、７，８…ゲートドライバ、９…液晶パネル、１１…フレームメモリ。
【図１】
2006180427.tif 000003
【図２】
2006180427.tif 000004
【図３】
2006180427.tif 000005
【図４】
2006180427.tif 000006
【図５】
2006180427.tif 000007
【図６】
2006180427.tif 000008
【図７】
2006180427.tif 000009
【図８】
2006180427.tif 000010
【図９】
2006180427.tif 000011
【図１０】
2006180427.tif 000012
【図１１】
2006180427.tif 000013
【図１２】
2006180427.tif 000014